(57)【特許請求の範囲】
【請求項１】
建物の少なくとも基礎スラブの外側面に密着した基礎断熱材及び前記基礎スラブの下方に敷設された土間断熱材をシロアリによる食害から保護できる建物の防蟻構造であって、
前記シロアリの分泌物に耐性の耐腐食性材料で構成され、少なくとも前記基礎断熱材の外側面における地上の所定高さから下端までの範囲を被覆する一のメッシュシートの下端を、前記基礎スラブの外側面の下端に周方向に延びるように突設された突出部の外側面に取付けると共に、
この突出部の外側面に上端が取付けられる他のメッシュシートの下端を、前記土間断熱材の下方に施工された捨てコンクリートに取付けたことを特徴とする建物の防蟻構造。
【請求項２】
前記一のメッシュシートの下端と前記他のメッシュシートの上端とを所定範囲重合した状態で前記突出部の外側面に取付けた請求項１記載の建物の防蟻構造。
【請求項３】
前記突出部の厚さが前記基礎断熱材の厚さと略同一である請求項１又は２に記載の建物の防蟻構造。
【請求項４】
前記突出部の上面が地盤面より下方である請求項１乃至３のいずれか記載の建物の防蟻構造。
【請求項５】
前記捨てコンクリートの端面が少なくとも前記基礎断熱材の外側面と略面一である請求項１乃至４のいずれか記載の建物の防蟻構造。
【請求項６】
前記基礎スラブ上の外周部分に外周立ち上がり部を立設した請求項１乃至５のいずれか記載の建物の防蟻構造。
【請求項７】
前記メッシュシートが、前記シロアリの頭部の横断面における最大寸法の２倍以下の寸法である複数のアンカー孔を有する請求項１乃至６のいずれか記載の建物の防蟻構造。
【請求項８】
細骨材を互いの間隔が前記シロアリの頭部の横断面における最大寸法の２倍以下となるように配合した外装仕上げ塗材を、前記メッシュシートの上から塗布した請求項１乃至７のいずれか記載の建物の防蟻構造。
【請求項９】
前記外装仕上げ塗材がコールタール系材料又は瀝青からなる請求項８記載の建物の防蟻構造。
【請求項１０】
請求項１乃至９のいずれか記載の防蟻構造を有する建物。
【発明の詳細な説明】
【０００１】
【発明の属する技術分野】
この発明は、建物の基礎断熱及び土間断熱を図るためにそれぞれ配設された基礎断熱材及び土間断熱材をシロアリによる食害から保護できる建物の防蟻構造及びその建物に関する。
【０００２】
【従来の技術】
周知のように、建物の基礎断熱及び土間断熱を図る場合は、例えばべた基礎の外周等に基礎断熱材が配設されると共に、べた基礎の下方に土間断熱材が敷設されるのが一般的である。
【０００３】
このような建物における従来のシロアリ防除技術としては、例えば、
（１）建物の床下の地盤（土壌）と、地面から１ｍ以内の木部とを薬剤で処理する方法、
（２）シロアリの活動をモニタリングしながら、侵入してきたシロアリに少量の薬剤を含む毒餌を摂食させて根絶するベイト工法（レスケミカル法）、
等がある。
【０００４】
【発明が解決しようとする課題】
しかしながら、上記のような従来例（１）においては、薬剤に起因する化学物質過敏症等の問題があり、即ち、建物内の環境が化学物質によって汚染されるという問題点がある。
【０００５】
また、従来例（２）においては、シロアリに毒餌を摂食させ、コロニー全体の活力を衰退させることを目的とするため、その開始から終了までに少なくとも数カ月〜２年程度の長期間を要するという問題点がある。
【０００６】
この発明は、以上のような問題点に鑑みてなされたものであり、建物内の環境を汚染せずかつ期間を要することなく、基礎断熱材及び土間断熱材をシロアリによる食害から保護できる建物の防蟻構造及びその建物を提供することを目的とする。
【０００７】
【課題を解決するための手段】
上記目的を達成するため、請求項１の防蟻構造は、建物の少なくとも基礎スラブの外側面に密着した基礎断熱材及び前記基礎スラブの下方に敷設された土間断熱材をシロアリによる食害から保護できる建物の防蟻構造であって、
前記シロアリの分泌物に耐性の耐腐食性材料で構成され、少なくとも前記基礎断熱材の外側面における地上の所定高さから下端までの範囲を被覆する一のメッシュシートの下端を、前記基礎スラブの外側面の下端に周方向に延びるように突設された突出部の外側面に取付けると共に、
この突出部の外側面に上端が取付けられる他のメッシュシートの下端を、前記土間断熱材の下方に施工された捨てコンクリートに取付けたものである。
【０００８】
請求項２の防蟻構造は、一のメッシュシートの下端と前記他のメッシュシートの上端とを所定範囲重合した状態で前記突出部の外側面に取付けたものである。
【０００９】
請求項３の防蟻構造においては、前記突出部の厚さが前記基礎断熱材の厚さと略同一であることである。
【００１０】
請求項４の防蟻構造においては、前記突出部の上面が地盤面より下方であることである。
【００１１】
請求項５の防蟻構造は、前記捨てコンクリートの端面が少なくとも前記基礎断熱材の外側面と略面一であることである。
【００１２】
請求項６の防蟻構造は、前記基礎スラブ上の外周部分に外周立ち上がり部を立設したことである。
【００１３】
請求項７の防蟻構造は、前記メッシュシートが、前記シロアリの頭部の横断面における最大寸法の２倍以下の寸法である複数のアンカー孔を有することである。
【００１４】
請求項８の防蟻構造は、細骨材を互いの間隔が前記シロアリの頭部の横断面における最大寸法の２倍以下となるように配合した外装仕上げ塗材を、前記メッシュシートの上から塗布したことである。
【００１５】
請求項９の防蟻構造は、前記外装仕上げ塗材がコールタール系材料又は瀝青からなることである。
【００１６】
請求項１０の建物は、前記のいずれか記載の防蟻構造を有する建物であることである。
【００１８】
【発明の実施の形態】
以下、この発明の実施形態を図面に基づいて説明する。
図１乃至図３に示すように、第１実施形態に係る建物Ａの防蟻構造は、例えば、建物Ａの基礎スラブ１の外側面１ａに密着した基礎断熱材２及び基礎スラブ１の下方に敷設された土間断熱材３をシロアリ４による食害から保護できるものであって、基礎断熱材２の外側面２ａを被覆するメッシュシート５の下端５ｄを、土間断熱材３の下方に施工された捨てコンクリート６の上面６ｃに取付けたものである。
【００１９】
建物Ａの下方には、図１に示すように、割栗石７、捨てコンクリート６、土間断熱材３、及び基礎スラブ１が、下方からこの順にかつ全面的に施工されており、必要に応じて基礎スラブ１の外周部分は他の部分よりも厚い厚肉部８とされている。なお、厚肉部８を含む基礎スラブ１の縦断面形状等は特に限定されるものではなく、従来公知の各種の構成を採用できる。また、割栗石７と捨てコンクリート６の間、又は捨てコンクリート６と土間断熱材３の間には、必要に応じて防湿シート又は防水シート等を介在させてもよい。
【００２０】
基礎スラブ１上の外周部分には、周方向に延びる外周立ち上がり部９が必要に応じて立設されており、この外周立ち上がり部９の内方にも柱状又は縦横等に延びる立ち上がり部（図示せず）が立設されている。このように、外周立ち上がり部９を立設してべた基礎としておけば、床下空間１０を確保できると共に、高さ寸法が大きい基礎断熱材２を使用できるので、湿気防止や基礎断熱をより効果的に図ることができるという利点がある。
【００２１】
基礎断熱材２は、矩形状の合成樹脂発泡板等から構成され、基礎スラブ１の外側面１ａ及び外周立ち上がり部９の外側面９ａに横方向に相隣接して密着している。この基礎断熱材２は、基礎スラブ１及び外周立ち上がり部９に接着剤等で接着したり、あるいは基礎スラブ１や外周立ち上がり部９を打設する際にそのコンクリートに密着させたりすればよい。基礎断熱材２を基礎スラブ１等の打設により密着させる場合は、基礎断熱材２とコンクリートとの密着が充分なものとなり、断熱性や防蟻性の面から更に好ましいものとなる。
【００２２】
土間断熱材３は、基礎断熱材２と同様の矩形状の合成樹脂発泡板等から構成され、捨てコンクリート６上に相隣接して敷設されている。捨てコンクリート６及び割栗石７は、必要に応じて土間断熱材３よりも大きい範囲に施工されている。
なお、捨てコンクリート６の厚さは２０ｍｍ以上が好適であるが、土間断熱材３へのシロアリ４の侵入を阻止するという防蟻性の点から、好ましくは４０ｍｍ以上、より好ましくは６０ｍｍ以上が望ましい。一方、２０ｍｍ未満では、シロアリ４が捨てコンクリート６を通過する可能性があるので、望ましくない。
【００２３】
シロアリ４とは、ゴキブリに近縁の社会生活をする不完全変態の昆虫であって、シロアリ目（等翅類）Isopteraの総称である。このシロアリ４は、図２に示すように、非変形性の堅い頭部４ａを有する一方、比較的柔らかくて弱い体部４ｂを有している。このようなシロアリ４としては、例えば、ヤマトシロアリやイエシロアリ等の各種のものが挙げられる。
【００２４】
メッシュシート５は、図３に示すように、例えば、ステンレス鋼ワイヤ１１等から製織等され、複数の網目（アンカー孔）１２を有している。図１に示すように、このメッシュシート５を基礎断熱材２の外側面２ａ、土間断熱材３の端面３ａ、及び捨てコンクリート６の上面６ｃ等に取付けるには、モルタルに適宜のポリマー等を配合した接着モルタル等により接着すればよいが、この場合、複数の網目１２によるアンカー効果によってメッシュシート５をより強固に取付けられるという利点がある。
【００２５】
ここで、網目１２等のアンカー孔の寸法が、いずれか１方向又は２以上の方向において、図２に示すシロアリ４の頭部４ａの横断面における最大寸法Ｈの２倍以下、即ち、アンカー孔をシロアリ４の頭部４ａが通り抜けないか又は頭部４ａが通り抜けても柔らかい体部４ｂ等がアンカー孔に接触するような寸法である場合は、シロアリ４がアンカー孔を通り抜けるのを嫌うので、基礎断熱材２や土間断熱材３をより確実に保護できるという利点がある。
【００２６】
なお、前記最大寸法Ｈは、イエシロアリの職蟻で１．１〜１．２５ｍｍ程度、ヤマトシロアリの職蟻で１．０〜１．２ｍｍ程度であるので、ヤマトシロアリが生息する地域では、アンカー孔の寸法を少なくともいずれかの方向において２．０ｍｍ程度以下としておくのが望ましい。
【００２７】
また、シロアリバリアー材として使用されるメッシュシート５は、シロアリ４から放出されるギ酸等の分泌物に耐性で且つシロアリ４が噛み砕くことができない硬さ、好ましくは少なくともＨＤＤ約７０のデュロメータ硬さを有すると共に、使用環境下で数十年の耐用年数を有する耐腐食性材料で構成されていれば、種々のものを使用できる。このようなメッシュシート５としては、例えば、セラミックス・ガラス・合成樹脂・金属（特にステンレス）等の繊維・フィラメント・ストランド等から製織又は製編等されたワイヤーラス等や不織布、あるいはパンチングメタル、メタルラス等が挙げられ、特に「ターミメッシュ（ＴＥＲＭＩ−ＭＥＳＨ）」（商品名，ターミメッシュ・オーストラリア社製）等のステンレスメッシュ等が好適である。要するに、網目１２等の複数のアンカー孔を有していればよい。このアンカー孔の形状は特に限定されるものではなく、矩形状や円状等の適宜の形状とすることができる。
【００２８】
このように構成されるメッシュシート５は、図１に示すように、例えば、基礎断熱材２の外側面２ａ及び土間断熱材３の端面３ａを被覆するように取付けられており、その下端５ｄが捨てコンクリート６の上面６ｃに取付けられている。
【００２９】
なお、基礎断熱材２の外側面２ａは、少なくとも地上の所定高さから下端２ｄまでの範囲を被覆しておけばよいが、この場合の地上高さとしては、５０ｍｍ以上、好ましくは１００ｍｍ以上が望ましい。一方、５０ｍｍ未満では、シロアリ４がメッシュシート５より高い位置まで登る可能性があるので、望ましくない。
【００３０】
基礎断熱材２をより確実に保護するには、この実施形態のように、メッシュシート５で外側面２ａ全体を被覆すると共に、上面２ｃも被覆しておくのが望ましい。また、メッシュシート５の内端５ｂは、少し長く形成しておいて外周立ち上がり部９等に埋設又は接着等しておくのが望ましい。メッシュシート５の内端５ｂを、外周立ち上がり部９の天端等に施工されるならしモルタル１３等に埋設しておけば、取付けを確実にできると共に、納まりもよい。
【００３１】
この実施形態においては、基礎断熱材２の外側面２ａと略面一になるように敷設された土間断熱材３の端面３ａもメッシュシート５で被覆しているが、これに限定されるものではなく、土間断熱材３の端面３ａを基礎断熱材２の内側面２ｂに当接するように敷設し、基礎断熱材２のみをメッシュシート５で被覆しておいてもよい。
【００３２】
いずれにしても、基礎断熱材２の外側面２ａ等を被覆したメッシュシート５の下端５ｄは捨てコンクリート６に取付けられているので、メッシュシート５及び捨てコンクリート６が障害となって、シロアリ４が基礎断熱材２や土間断熱材３へ侵入するのを阻止できる。そのため、建物Ａ内の環境を汚染せずかつ期間を要することなく基礎断熱材２や土間断熱材３をシロアリ４による食害から保護できると共に、シロアリ４が基礎断熱材２の内部を通過して軸組Ｂや床組Ｃ等に侵入することもないという利点がある。
【００３３】
ここで、この実施形態のように、細骨材を互いの間隔が前記最大寸法Ｈの２倍以下となるように配合した外装仕上げ塗材１４をメッシュシート５の上から塗布しておけば、メッシュシート５のアンカー孔の場合と同様、仮にシロアリ４が外装仕上げ塗材１４を食い破ろうとしたときでも細骨材の間を通り抜けるのを嫌うので、シロアリ４の侵入をより確実に阻止できるという利点がある。
【００３４】
上記のような細骨材としては、シロアリ４が噛み砕くことができない砂等が挙げられる。細骨材の配合量や大きさは特に限定されるものではなく、外装仕上げ塗材１４がシロアリ４によって食い破られないようにその大きさに応じて充分な量を配合しておけばよい。
【００３５】
外装仕上げ塗材１４としては、例えばセメント系、ケイ酸質系、合成樹脂エマルジョン系、合成樹脂溶液系等の各種の塗材が挙げられるが、コールタール系材料や瀝青からなる場合は、それ自体の物理的防蟻効果によってシロアリ４の侵入を更に確実に阻止できるという利点がある。
【００３６】
このようなコールタール系材料としては、例えば、コールタールやコールタールピッチの他、これらの少なくとも１種とエポキシ樹脂やポリウレタン等の適宜のポリマーとの混合物等が挙げられる。また、瀝青とは、原油から熱作用で得られる炭化水素をいい、ビチューメン又はアスファルトともいう。このような瀝青としては、例えば、ストレートアスファルト、ブローンアスファルト、触媒ブローンアスファルトの他、これらの少なくとも１種と上記のような適宜のポリマーとの混合物等が挙げられる。これらコールタール系材料や瀝青を塗布する際は、加熱等により取り扱い易い適度な粘性に軟化等させてから行えばよい。
【００３７】
図４及び図５に示すように、第２実施形態に係る建物Ａの防蟻構造は、第１実施形態における基礎スラブ１の外側面１ａの下端に周方向に延びる突出部２１を突設した場合であって、例えば、一のメッシュシート５の下端５ｄを突出部２１の外側面２１ａに取付けると共に、この突出部２１の外側面２１ａに上端２２ｃが取付けられる他のメッシュシート２２の下端２２ｄを捨てコンクリート６の上面６ｃに取付けたものである。
【００３８】
他のメッシュシート２２は、一のメッシュシート５と同様に構成されており、突出部２１の外側面２１ａ、土間断熱材３の端面３ａ、及び捨てコンクリート６の上面６ｃ等に既述の接着モルタル等により接着すればよい。
【００３９】
このように、一のメッシュシート５と他のメッシュシート２２によっても基礎断熱材２や土間断熱材３をシロアリ４による食害から保護できると共に、双方のメッシュシート５，２２を別々に施工できるので、取付け作業をより簡単に行えるという利点がある。他の利点は第１実施形態と同様である。
【００４０】
ここで、この実施形態のように、突出部２１の厚さを基礎断熱材２の厚さと略同一としておけば、突出部２１の外側面２１ａと基礎断熱材２の外側面２ａとが略面一となるので、一のメッシュシート５の取付け作業を更に簡単に行えるという利点がある。また、突出部２１の上面２１ｃが地盤面２３ｃより下方に位置するようにしておけば、基礎断熱のための基礎断熱材２の高さ寸法を充分に確保できるという利点がある。
【００４１】
図６及び図７に示すように、第３実施形態に係る建物Ａの防蟻構造は、第２実施形態における突出部２１を含む所定範囲を下方にも突出させてコーナー突出部（突出部）３１とし、このコーナー突出部３１の下面３１ｄを土間断熱材３を介さないで捨てコンクリート６に当接させた場合であって、他のメッシュシート２２の上端２２ｃをコーナー突出部２１の外側面２１ａに取付けると共に、このメッシュシート２２の下端２２ｄを捨てコンクリート６の上面６ｃに取付けたものである。
【００４２】
このように、コーナー突出部３１の存在により土間断熱材３の端面３ａが他のメッシュシート２２により被覆されていない場合においては、このメッシュシート２２により捨てコンクリート６と基礎スラブ１との継ぎ目３２が閉塞されるので、シロアリ４が継ぎ目３２を通過して土間断熱材３へ侵入するのを阻止できるという利点がある。他の利点は第２実施形態と同様である。
【００４３】
図８及び図９に示すように、第４実施形態に係る建物Ａの防蟻構造は、第２実施形態における突出部２１の高さ寸法を小さくした場合であって、一のメッシュシート５の下端５ｄと他のメッシュシート２２の上端２２ｃとを所定範囲重合した状態で突出部２１の外側面２１ａに取付けたものである。
【００４４】
このように、突出部２１の高さ寸法を小さくしておけば、基礎断熱材２の高さ寸法を大きくできるので、基礎断熱をより効果的に図ることができるという利点がある。また、一のメッシュシート５の下端５ｄと他のメッシュシート２２の上端２２ｃとを重合しておけば、これらの部分からのシロアリ４の侵入を確実に阻止できるという利点がある。他の利点は第２実施形態と同様である。
【００４５】
なお、この実施形態においては、一のメッシュシート５の下端５ｄの上から他のメッシュシート２２の上端２２ｃを重合しているが、これに限定されるものではなく、他のメッシュシート２２の上端２２ｃの上から一のメッシュシート５の下端５ｄを重合してもよい。また、突出部２１を第３実施形態のコーナー突出部３１のような構成とし、このコーナー突出部３１の外側面３１ａに重合した状態で取付けてもよい。
【００４６】
図１０に示すように、第５実施形態に係る建物Ａの防蟻構造は、第１実施形態における基礎スラブ１上に外周立ち上がり部９を立設しない場合であって、メッシュシート５の内端５ｂを基礎スラブ１上に施工されるならしモルタル１３に埋設したものである。他の構成は第１実施形態と同様であるので、同じ利点がある。なお、外周立ち上がり部９を立設しない場合でも、第２乃至第４実施形態の構成を採用してもよい。
【００４７】
図１１に示すように、第６実施形態に係る建物Ａの防蟻構造は、第１実施形態における捨てコンクリート６を土間断熱材３と略同じ範囲に施工した場合であって、メッシュシート５の下端５ｄを捨てコンクリート６の端面６ａに取付けたものである。
【００４８】
このように、捨てコンクリート６の端面６ａを土間断熱材３の端面３ａ及び基礎断熱材２の外側面２ａと略面一にしておけば、メッシュシート５の取付け作業をより簡単に行えるという利点がある。他の構成は第１実施形態と同様であるので、同じ利点がある。
【００４９】
なお、この実施形態や第１及び第５実施形態において、基礎スラブ１の外側面１ａの下端に第２乃至第４実施形態の突出部２１やコーナー突出部３１を設けておけば、メッシュシート５のみの施工で済むという利点があるが、第２乃至第５実施形態の構成を採用してもよい。いずれにしても、メッシュシート５，２２の下端５ｄ，２２ｄは、捨てコンクリート６の上面６ｃや端面６ａ等を含む適宜の位置に取付ければよい。
【００５１】
【発明の効果】
請求項１及び請求項１０の発明によれば、少なくとも基礎断熱材の外側面における地上の所定高さから下端までの範囲を被覆する一のメッシュシートの下端を突出部の外側面に取付けると共に、この突出部の外側面に上端が取付けられる他のメッシュシートの下端を捨てコンクリートに取付けているので、上記請求項１の効果と同様、基礎断熱材や土間断熱材をシロアリによる食害から保護できる。また、双方のメッシュシートを別々に施工できるので、取付け作業をより簡単に行える。更に、前記コーナー突出部等の存在により土間断熱材の端面が他のメッシュシートにより被覆されていない場合でも、このメッシュシートにより捨てコンクリートと基礎スラブとの継ぎ目が閉塞されるので、シロアリが継ぎ目を通過して土間断熱材へ侵入するのを阻止できる。
【００５２】
請求項２及び請求項１０の発明によれば、一のメッシュシートの下端と他のメッシュシートの上端とを所定範囲重合した状態で突出部の外側面に取付けているので、これらの部分からのシロアリの侵入を確実に阻止できる。また、突出部の高さ寸法を小さくして基礎断熱材の高さ寸法を大きくできるので、基礎断熱をより効果的に図ることができる。
【００５３】
請求項３及び請求項１０の発明によれば、捨てコンクリートの端面が少なくとも基礎断熱材の外側面と略面一であるので、メッシュシートの取付け作業をより簡単に行える。
【００５４】
請求項４及び請求項１０の発明によれば、基礎スラブ上の外周部分に外周立ち上がり部を立設してべた基礎としているので、床下空間を確保できると共に、高さ寸法が大きい基礎断熱材を使用でき、そのため湿気防止や基礎断熱をより効果的に図ることができる。
【００５５】
請求項５及び請求項１０の発明によれば、突出部の厚さが基礎断熱材の厚さと略同一であるので、突出部の外側面と基礎断熱材の外側面とが略面一となり、そのため一のメッシュシートの取付け作業を更に簡単に行える。
【００５６】
請求項６及び請求項１０の発明によれば、突出部の上面が地盤面より下方であるので、基礎断熱のための基礎断熱材の高さ寸法を充分に確保できる。
【００５７】
請求項７及び請求項１０の発明によれば、メッシュシートが前記最大寸法の２倍以下の寸法である複数のアンカー孔を有するので、このメッシュシートを基礎断熱材の外側面、土間断熱材の端面、及び捨てコンクリートの上面等にアンカー効果によってより強固に取付けられる。また、アンカー孔が、このアンカー孔をシロアリの頭部が通り抜けないか又は頭部が通り抜けても柔らかい体部等がアンカー孔に接触するような寸法であり、シロアリがアンカー孔を通り抜けるのを嫌うので、基礎断熱材や土間断熱材をより確実に保護できる。
【００５８】
請求項８及び請求項１０の発明によれば、細骨材を互いの間隔が前記最大寸法Ｈの２倍以下となるように配合した外装仕上げ塗材をメッシュシートの上から塗布しているので、仮にシロアリが外装仕上げ塗材を食い破ろうとしたときでも細骨材の間を通り抜けるのを嫌う。そのため、シロアリの侵入をより確実に阻止できる。
【００５９】
請求項９及び請求項１０の発明によれば、外装仕上げ塗材がコールタール系材料又は瀝青からなるので、それ自体の物理的防蟻効果によってシロアリの侵入を更に確実に阻止できる。
【図面の簡単な説明】
【図１】第１実施形態に係る建物の防蟻構造を示す概略縦断面図。
【図２】  (a)はシロアリの平面図、(b)は(a)のＹ−Ｙ線断面図。
【図３】メッシュシートの要部拡大平面図。
【図４】第２実施形態に係る建物の防蟻構造を示す概略縦断面図。
【図５】図４の突出部付近の要部拡大縦断面図。
【図６】第３実施形態に係る建物の防蟻構造を示す概略縦断面図。
【図７】図６の突出部付近の要部拡大縦断面図。
【図８】第４実施形態に係る建物の防蟻構造を示す概略縦断面図。
【図９】図８の突出部付近の要部拡大縦断面図。
【図１０】第５実施形態に係る建物の防蟻構造を示す概略縦断面図。
【図１１】第６実施形態に係る建物の防蟻構造を示す概略縦断面図。
【符号の説明】
Ａ  建物
１  基礎スラブ
１ａ  外側面
２  基礎断熱材
２ａ  外側面
２ｄ  下端
３  土間断熱材
４  シロアリ
４ａ  頭部
５  メッシュシート
５ｄ  下端
６  捨てコンクリート
９  外周立ち上がり部
１２  網目（アンカー孔）
１４  外装仕上げ塗材
２１  突出部
２１ａ  外側面
２１ｃ  上面
２２  メッシュシート
２２ｃ  上端
２２ｄ  下端
２３ｃ  地盤面
３１  コーナー突出部（突出部）
３１ａ  外側面
【図１】
0004558974.tif 000002
【図２】
0004558974.tif 000003
【図３】
0004558974.tif 000004
【図４】
0004558974.tif 000005
【図５】
0004558974.tif 000006
【図６】
0004558974.tif 000007
【図７】
0004558974.tif 000008
【図８】
0004558974.tif 000009
【図９】
0004558974.tif 000010
【図１０】
0004558974.tif 000011
【図１１】
0004558974.tif 000012